(57)【要約】      （修正有）【課題】車中でのタブレット端末の係止時の傷つきを防ぐとともに、操作性を高めるタブレットフォルダーを提供する。【解決手段】塩化ビニールシートに可塑剤の添加により粘着性と柔軟性を確保するとともに、複数のスリットｓ１〜ｓ４をトムソン加工により設け、タブレット端末やスマートフォン端末に傷をつけることなく固定を可能とし、その操作性を高める。【選択図】図３
0003205070.tif 000002
【実用新案登録請求の範囲】
【請求項１】
薄手の塩化ビニール材料にタブレット端末およびスマートフォン端末を固定できる複数のスリットをトムソン加工により施すことで、塩化ビニールの持つ粘着性と伸縮性によりタブレット端末およびスマートフォン端末の脱落を防止し、それらの操作性を高めることを特徴とする塩化ビニール製タブレットホルダー。
【請求項２】
薄手の塩化ビニール材料をトムソン加工により打ち抜いた請求項１に記載の塩化ビニール製ロールペーパーカバーは上部両端にＵ字状のスリットを持ち、そのスリットに自動車のヘッドレストの脚部を通すことで該物件を係止することでき、自動車の後部座席でのタブレット端末およびスマートフォン端末の視聴、操作の利便性を高めることを特徴とする塩化ビニール製タブレットホルダー。
【請求項３】
前記の材料に対する印刷は、オフセット印刷を用いて絵や文字、写真を印刷した請求項１に記載の塩化ビニール製タブレットホルダー。
【考案の詳細な説明】
【技術分野】
【０００１】  本考案は主として、塩化ビニール材料に対して文字や図画を印刷した、多目的に使用できる利便性の高いノベルティー商品あるいは小売商品に関するものである。
【背景技術】
【０００２】  従来のタブレットホルダーは射出成型などで作成した硬質な治具でタブレット端末やスマートフォン端末を固定するもので、その硬質な固定部がタブレット端末やスマートフォン端末に傷をつけてしまうことがあった。
【考案が解決しようとする課題】
【０００３】  従来のタブレットホルダーを粘着性、伸縮性、および柔軟性の高い塩化ビニールを用いて作成することでタブレット端末を係止したときにタブレット端末本体に傷がつくことを防ぐことが出来る。
【０００４】  薄手の塩化ビニール材料の粘着性、伸縮性を利用して、タブレット端末及びスマートフォン端末を係止し、係止した物品に傷をつけることなくその利便性を高める物である。
【課題を解決するための手段】
【０００５】  材料の塩化ビニールを製造する際に、可塑剤の量を調整しタブレット端末およびスマートフォン端末への密着度を高め、タブレット端末およびスマートフォン端末の四隅を固定することで脱落を防止し、端末本体へ傷がつくことを抑えている。
【考案実施の形態】
【０００６】  図１は本考案の塩化ビニール製タブレットホルダー（１）の視図である。図１で塩化ビニール製タブレットホルダー（１）には自動車のヘッドレスト（Ｈ）に該物件を固定する際に使用するスリット（ｋ１）（ｋ２）、大型のタブレット端末を固定する際に使用するスリット（ｓ１）（ｓ２）（ｓ３）（ｓ４）、中型のタブレット端末を固定する際に使用するスリット（ｓ５）（ｓ６）（ｓ７）（ｓ８）、大型のスマートフォン端末を固定する際に使用するスリット（ｓ９）（ｓ１０）（ｓ１１）（ｓ１２）、標準的なスマートフォン端末を固定する際に使用するスリット（ｓ１３）（ｓ１４）（ｓ１５）（ｓ１６）、ボールペンやスタイラスペンを固定するために使用するスリット（ｋ３）（ｋ４）が施されている。
【０００７】  図２は本考案の塩化ビニール製タブレットホルダー（１）を自動車の座席（Ｚ）に装着するときの視図である。図２で塩化ビニール製タブレットホルダーの上部に対になって位置するスリット（ｋ１）（ｋ２）のＵ字型の切り込みを起こした時にできる孔に自動車の座席（Ｚ）のヘッドレスト部（Ｈ）の脚部である（Ｆ１）（Ｆ２）を差し込み固定することで、該物件である塩化ビニール製タブレットホルダー（１）を自動車の座席に係止することが出来る。この時、該物件に施した各スリット（ｓ１）（ｓ２）（ｓ３）（ｓ４）、（ｓ５）（ｓ６）（ｓ７）（ｓ８）、（ｓ９）（ｓ１０）（ｓ１１）（ｓ１２）、（ｓ１３）（ｓ１４）（ｓ１５）（ｓ１６）の大きさに対応したタブレット端末およびスマートフォン端末を固定し係止することが出来る状態である。
【０００８】  図３は本考案の塩化ビニール製タブレットホルダー（１）を自動車の座席（Ｚ）に装着し、かつタブレット端末をスリット（ｓ１）（ｓ２）（ｓ３）（ｓ４）に固定し係止した視図である。図３で塩化ビニール製タブレットホルダーの上部に対になって位置するスリット（ｋ１）（ｋ２）は自動車の座席（Ｚ）のヘッドレスト部（Ｈ）の脚部である（Ｆ１）（Ｆ２）が差し込まれることで係止され、そのことにより該物件である塩化ビニール製タブレットホルダー（１）は自動車の座席（Ｚ）に密着している。またこの時、該物件に施した各スリット（ｓ１）（ｓ２）（ｓ３）（ｓ４）に対応したタブレット端末（Ｔ）を固定した状態であり、ボールペンやスタイラスペンを固定するために使用するスリット（ｋ３）には筆記具（Ｐ）が係止されている。
【図面の簡単な説明】
【０００９】
【図１】本考案の塩化ビニール製タブレットホルダーの視図。
【図２】塩化ビニール製タブレットホルダーを自動車の座席に装着するときの視図。
【図３】塩化ビニール製タブレットホルダーにタブレットを端末を取り付けた時の視図。
【符号の説明】
【００１０】１      塩化ビニール製タブレットホルダー
Ｆ１    フットレスト脚部
Ｆ２    フットレスト脚部
Ｈ      ヘッドレスト
ｋ１    Ｕ字スリット
ｋ２    Ｕ字スリット
ｋ３    ペン固定用スリット
ｋ４    ペン固定用スリット
Ｐ      ペン
ｓ１    タブレット端末固定用スリット
ｓ２    タブレット端末固定用スリット
ｓ３    タブレット端末固定用スリット
ｓ４    タブレット端末固定用スリット
ｓ５    中型タブレット端末固定用スリット
ｓ６    中型タブレット端末固定用スリット
ｓ７    中型タブレット端末固定用スリット
ｓ８    中型タブレット端末固定用スリット
ｓ９    大型スマートフォン端末固定用スリット
ｓ１０  大型スマートフォン端末固定用スリット
ｓ１１  大型スマートフォン端末固定用スリット
ｓ１２  大型スマートフォン端末固定用スリット
ｓ１３  スマートフォン端末固定用スリット
ｓ１４  スマートフォン端末固定用スリット
ｓ１５  スマートフォン端末固定用スリット
ｓ１６  スマートフォン端末固定用スリット
Ｚ      自動車の座席
【図１】
0003205070.tif 000003
【図２】
0003205070.tif 000004
【図３】
0003205070.tif 000005
【手続補正書】
【提出日】平成28年4月8日(2016.4.8)
【手続補正１】
【補正対象書類名】実用新案登録請求の範囲
【補正対象項目名】全文
【補正方法】変更
【補正の内容】
【実用新案登録請求の範囲】
【請求項２】
薄手の塩化ビニール材料をトムソン加工により打ち抜いた請求項１に記載の塩化ビニール製タブレットホルダーは上部両端にＵ字状のスリットを持ち、そのスリットに自動車のヘッドレストの脚部を通すことで塩化ビニール製タブレットホルダーを係止することでき、自動車の後部座席でのタブレット端末およびスマートフォン端末の視聴、操作の利便性を高めることを特徴とする塩化ビニール製タブレットホルダー。